(57)【要約】【課題】被写体の状況に応じて撮像画像に施す最適な補正処理方法を素早くかつ容易に選択できるように誘導する撮像装置および電子機器を提供する。【解決手段】撮像装置１０および携帯電話機２０は、撮像素子１２と、撮像素子１２によって得られた画像データを第１の画像データに補正する第１の補正部と、第１の画像データを表示する表示部２２と、第１の画像データを第２の画像データに補正可能な第２の補正部と、第２の補正部による第１の画像データから第２の画像データへの補正を決定する操作部２３と、操作部２３の操作を誘導させる誘導部１６３とを有する。【選択図】図１
2009246565.tif 000002
【特許請求の範囲】
【請求項１】
撮像部と、
前記撮像部によって得られた画像データを第１の画像データに補正する第１の補正部と、
前記第１の画像データを表示する表示部と、
前記第１の画像データを第２の画像データに補正可能な第２の補正部と、
前記第２の補正部による前記第１の画像データから前記第２の画像データへの補正を決定する操作部と、
前記操作部の操作を誘導させる教示部と
を有することを特徴とする撮像装置。
【請求項２】
前記第２の補正部は、
前記第２の画像データを前記表示部へ表示させる
ことを特徴とする請求項１記載の撮像装置。
【請求項３】
前記第２の補正部は、
前記表示部に補正内容を表示する提示部を有する
ことを特徴とする請求項１または２記載の撮像装置。
【請求項４】
筐体を有し、
前記操作部は、透光部材からなる前記筐体の表面に配置された複数のキーからなり、
前記教示部は、
前記複数のキーの前記筐体の内側に配された複数の発光素子からなる
ことを特徴とする請求項１または２記載の撮像装置。
【請求項５】
前記提示部が提示する補正内容は、
前記撮像部によって撮像された画像データの輝度を上げる補正と、
前記撮像部によって撮像された画像データの輝度を下げる補正とを含む
ことを特徴とする請求項３または４記載の撮像装置。
【発明の詳細な説明】
【技術分野】
【０００１】
本発明は、撮像素子を用い、光学系を備えたデジタルスチルカメラや携帯電話搭載カメラ、携帯情報端末搭載カメラ、画像検査装置、自動制御用産業カメラ等の撮像装置および電子機器に関するものである。
【背景技術】
【０００２】
近年市場に流通しているデジタルカメラは、撮像時に最適な撮像画像となるように補正を施す機能が搭載されている。したがって、かつては手動操作で行われていた露出設定、撮影シーン、ホワイトバランスなどの補正が、近年市場に流通しているデジタルカメラにおいては、画像処理装置によって自動的に行われる。
たとえば特許文献１が開示する方法では、撮影準備期間中にＣＣＤ（Charge Coupled Device Image Sensor）センサ、ＣＭＯＳイメージセンサなどによって構成された光源変換手段によって行われたスルー画表示時（プレビュー時）の結果と、ユーザがあらかじめ設定した被写体の種類、撮影場所などの情報から最適な撮影モードが選択される。
その結果、ユーザが行う操作が簡略化され、便宜性が向上した。
【特許文献１】特開２００３−２４４５２２号公報
【発明の開示】
【発明が解決しようとする課題】
【０００３】
しかし、画像処理装置による補正の自動化により、撮像画像に誤った補正が施される場合がある。たとえば、日中の晴天下で黒い被写体を撮像したのにもかかわらず、全体が白飛びしたような明るい撮像画像（輝度信号Ｙの値が大きいオーバー画像という）となる場合がある。逆に、空が明るいため、本来なら明るく撮像されるべきものが暗く撮像される（輝度信号Ｙの値が小さいアンダー画像という）場合が発生する。撮像シーン全体が暗い場合も撮像画像全体が暗くなる。このような問題は、前者は被写体が黒いため、画像処理装置が露出を上げたり、フレームレートを伸ばしたために発生し、後者は空が明るいため、画像処理装置が露出を下げたり、フレームレートを短くしたために発生する。
【０００４】
本発明は、被写体の状況に応じて撮像画像に施す最適な補正処理方法を素早くかつ容易に選択できるように誘導する撮像装置および電子機器を提供することにある。
【課題を解決するための手段】
【０００５】
本発明の撮像装置は、撮像部と、前記撮像部によって得られた画像データを第１の画像データに補正する第１の補正部と、前記第１の画像データを表示する表示部と、前記第１の画像データを第２の画像データに補正可能な第２の補正部と、前記第２の補正部による前記第１の画像データから前記第２の画像データへの補正を決定する操作部と、前記操作部の操作を誘導させる教示部とを有する。
【０００６】
好適には、前記第２の補正部は、前記第２の画像データを前記表示部へ表示させる。
【０００７】
好適には、前記第２の補正部は、前記表示部に補正内容を表示する提示部を有する。
【０００８】
好適には、筐体を有し、前記操作部は、透光部材からなる前記筐体の表面に配置された複数のキーからなり、前記教示部は、前記複数のキーの前記筐体の内側に配された複数の発光素子からなる。
【０００９】
好適には、前記提示部が提示する補正内容は、前記撮像部によって撮像された画像データの輝度を上げる補正と、前記撮像部によって撮像された画像データの輝度を下げる補正とを含む。
【発明の効果】
【００１０】
本発明によれば、被写体の状況に応じて撮像画像に施す最適な補正処理方法を素早くかつ容易に選択できるように誘導する撮像装置および電子機器を提供することができる。
【発明を実施するための最良の形態】
【００１１】
以下、本発明の実施形態を図面に関連付けて説明する。はじめに、撮像装置について説明した後、撮像装置が搭載された電子機器としての携帯電話機について説明する。
【００１２】
図１は、本実施形態に係る撮像装置の構成例を示すブロック図である。図２は、本実施形態に係る提示部の処理を説明するための図である。図３は、本実施形態に係る誘導部（教示部）の処理を説明するための図である。
【００１３】
本実施形態に係る撮像装置１０は、図１に図示するように、光学系１１、撮像素子１２（撮像部）、アナログフロントエンド部（ＡＦＥ）１３、切替部１４、画像処理装置１５、カメラ信号処理部（ＤＳＰ）１６、露出制御装置１７を有する。撮像装置１０は、記憶部２１、表示部２２、操作部２３、およびライト２４を有するが、これらは後述する携帯電話機と機能を共有している（図４を参照）。
【００１４】
撮像装置１０は、被写体ＯＢＪの撮像時に、スルー画表示（プレビュー表示）を行い、撮影モードに応じた補正処理方法を選択して撮像画像を自動的に補正する自動補正モード（第１の補正部による補正）を有する。
また、撮像装置１０は、ユーザ自身の判断によって撮像画像を補正できるように、最適と思われる補正処理方法を提示し、ユーザが目的とする動作（特に撮像画像の補正処理）を素早く、かつ容易に選択できるように、所定のキーを発光させることで操作過程（道筋）を誘導（教示する）する誘導モード（第２の補正部による補正）を有する。
撮像装置１０は、補正処理方法として種々の撮像モードを有し、被写体ＯＢＪ周囲の状況に応じて、たとえば、静止した被写体ＯＢＪを撮影するための人物モード、風景を撮影するための風景モード、補助光を用いて暗い状況下で撮像するためのモバイルライトモード、夜景のような暗い状況下で撮影するための（フレームレートを下げる）夜景モード、激しく動く被写体ＯＢＪを撮影するための（フレームレートを上げる）スポーツモード、撮像画像が暗すぎる場合に明るく補正する（露出を上げる）露出プラスモード、撮像画像が明るすぎる場合に暗く補正する（露出を下げる）露出マイナスモードのいずれかの補正を行う。
【００１５】
なお、説明の便宜上、人物モード、風景モード、夜景モード、スポーツモードおよびモバイルライトモードをシーンモード、露出プラスモードおよび露出マイナスモードを露出モードと称する。また、シーンモードの内、人物モードおよび風景モードを静止画像モード、夜景モードおよびスポーツモードを動画像モードと称する。これらの各撮像モード（たとえば人物モードや風景モード）を手動で選択することもできる。
【００１６】
光学系１１は、被写体ＯＢＪを撮影した像を撮像素子１２に供給する。
本実施形態の光学系１１は、後述するように、光波面変調素子を含み、合焦位置およびその前後の距離において焦点のボケ量が略一定となるように形成されている。
この焦点のボケ量は表示部２２の分解能を上限として設定されている。
また、光学系１１は、可変絞り１１ａが配置されている。この可変絞り１１ａは、たとえばスルー画表示の際に絞るように制御される。より具体的には、露出制御装置１７の制御の下、スルー画表示の際に、光学系１１０に含まれる光波面変調素子の変調面の変調作用の影響を排除し得る部分まで絞るようにされる。
なお、本実施形態では、可変絞り１１ａを光学系１１内に配置したが、光学系１１の被写体側の近傍に配置しても良い。
【００１７】
撮像素子１２は、光学系１１で取り込んだ像が結像され、結像１次画像情報を電気信号の１次画像信号ＦＩＭとして、アナログフロントエンド部１３を介して切替部１４に出力するＣＣＤやＣＭＯＳセンサからなる。
図１においては、撮像素子１２を一例としてＣＣＤとして記載している。
【００１８】
アナログフロントエンド部１３は、タイミングジェネレータ１３１、アナログ／デジタル（Ａ／Ｄ）コンバータ１３２と、を有する。
タイミングジェネレータ１３１では、撮像素子１２０ＣＣＤの駆動タイミングを生成しており、Ａ／Ｄコンバータ１３２は、ＣＣＤから入力されるアナログ信号をデジタル信号に変換し、切替部１４に出力する。
【００１９】
切替部１４は、露出制御装置１７による切替制御信号ＳＣＴＬ１に応じてＡＦＥ１３を介した撮像素子１２の撮像画像信号を画像処理装置１５またはカメラ信号処理部１６に選択的に入力する。
切替部１４において、固定接点ａがＡＦＥ１３のＡ／Ｄコンバータ１３２の出力ラインに接続され、作動接点ｂが画像処理装置１５の入力ラインに接続され、作動接点ｃがカメラ信号処理部１６０の信号入力ラインに接続されている。
切替部１４は、たとえばスルー画を表示部２２に表示しているときは、スルー画表示中として固定接点ａが作動接点ｃに接続するように制御される。一方、たとえば画像をキャプチャして記憶部２１に画像を記録するときは、固定接点ａが作動接点ｂに接続されるように制御される。
【００２０】
画像処理装置１５は、前段のＡＦＥ１３からくる撮像画像のデジタル信号が入力され、露出補正、コントラスト補正、彩度補正、シャープネス補正、ホワイトバランス、γ補正などの補正処理を行い、後段のカメラ信号処理部１６に渡す。
【００２１】
カメラ信号処理部（ＤＳＰ）１６（第１の補正部および第２の補正部）は、ＲＧＢ変換部１６１、ＹＵＶ変換部１６２、および誘導部１６３（教示部）を有する。
ＤＳＰ１６は、カラー補間、ＲＧＢ変換処理、ＹＵＶ変換処理、圧縮、ファイリング等の所定の画像処理を行い、記憶部２１への格納や表示部２２への画像表示等を行う。
【００２２】
ＲＧＢ変換部１６１は、補間処理を行い、入力されたデジタル信号から、フィルタ色別のＲ（赤）信号、Ｇ（緑）信号、Ｂ（青）信号（これらをまとめてＲＧＢ信号のように表記することがある）を取り出し、ＹＵＶ変換部１６２およびＤＳＰ１６に出力する。
【００２３】
ＹＵＶ変換部１６２は、撮像画像に圧縮などの圧縮処理を施すため、ＲＧＢ変換部１６１から入力されたＲＧＢ信号をＹ（輝度）信号、とＵＶ（色差）信号とに分離し、図示しない圧縮処理部などに出力する。
【００２４】
ＤＳＰ１６は、撮像素子１２から受け取った画像データに対して自動で補正を行う（第１の補正）。たとえば、ＤＳＰ１６は、この補正を撮像素子１２が受光した画像データのＲＧＢ値およびＹＵＶ値に基づいて自動的に行う。たとえば、ＤＳＰ１６は、撮像素子１２から入力される画像データのＹ値が所定の閾値よりも大きいものと判断すると、当該画像データのＹ値を下げた第１の画像データを生成する。Ｙ値の大小を決める閾値は、ユーザが設定できるようにしてもよいし、撮像装置１０の工場出荷時に予め設定されていてもよい。
【００２５】
ＤＳＰ１６は、ＹＵＶ変換部１６２からＹ信号の値が入力され、Ｙ信号の値を参照して撮影しようとする撮影画像がオーバー画像またはアンダー画像であるか否かを判断し、被写体ＯＢＪ周囲の環境に応じた最適な撮像モードを提示する。
【００２６】
具体的には、ＤＳＰ１６は、図２に示すようにＹ信号の値が第１の閾値Ｙαより大きい場合、撮像画像が明るすぎると判断し（オーバー画像）、露出を下げる補正処理方法を提示し、Ｙ信号の値が第２の閾値Ｙβより小さい場合、撮像画像が暗すぎると判断し（アンダー画像）、露出を上げる補正処理方法を提示する。露出の制御による補正は、静止画像モード時に行われるが、動画像モード時には、露出を制御する代わりにフレームレートを制御するようにすればよい。すなわち、ＤＳＰ１６は、Ｙ信号の値が第１の閾値Ｙαより大きい場合、フレームレートを上げる補正処理方法を提示し、Ｙ信号の値が第２の閾値Ｙβより小さい場合、フレームレートを下げる補正処理方法を提示する。
【００２７】
ＤＳＰ１６（第１の補正部）は、ＲＧＢ変換部１６１からＲＧＢ信号が入力され、ＲＧＢ信号の各値を参照し、撮影しようとする画像領域（たとえば表示部２２に表示されるスルー画）の所定領域に占めるＲＧＢ信号の各値の比率により、被写体ＯＢＪが人物であるか風景であるかを判断し、最適な撮像モードに対応した補正（第１の補正）を撮像画像に対して施し、補正した画像を表示部１２に表示する。
【００２８】
具体的には、ＤＳＰ１６（第１の補正部）は、図３（Ａ）に示すように、後述する携帯電話機２０の表示部２２が表示するスルー画の中央（領域ＲＥＧ１）においてＲ信号の値が占める割合が大きい場合に、被写体ＯＢＪが人物であるものと判断し、人物モードを提示する。これは、被写体ＯＢＪが人物の場合、赤色の傾向が強いためである。
ＤＳＰ１６（第１の補正部）は、図３（Ｂ）、（Ｃ）に示すように、撮影の向きに対して被写体ＯＢＪ（スルー画）の上部（領域ＲＥＧ２）にＢ信号の値が、下部（領域ＲＥＧ３）にＧ信号の値がそれぞれ占める割合が大きい場合に、被写体ＯＢＪが風景であるものと判断し、撮像画像に風景モードに対応した補正を施し、補正した画像を表示部２２に表示する。これは、被写体ＯＢＪが日中の屋外の風景の場合、上部が青色の傾向が強く、下部が緑色の傾向が強いためである。
【００２９】
誘導部１６３は、ＤＳＰ１６（第１の補正部）が施した表示画像（第１の画像データ）の補正（第１の補正）に対して、逆の補正となるような補正方法を教示する。たとえば、ＤＳＰ１６（第１の補正部）が施した補正が輝度を上げる補正であった場合、スルー画像は、撮像素子１２が撮像した画像データと比べて輝度が上がるように、ゲインまたはフレームレートが調整される。
そして、ユーザが手動によって誘導部１６３によって誘導された補正方法を選択することにより、第２の補正が第１の画像データに施される。その後、第２の補正が施された画像は、表示部２２に表示される。
【００３０】
以下、図３（Ａ）を例に挙げて第２の補正について説明する。図３（Ａ）は、たとえば撮像した画像の略中央に赤色の度合いが大きい領域（ＲＥＧ１）が存在する画像を撮影しているときの撮像装置１０（携帯電話機２０）の様子を示したものである。
【００３１】
撮像装置１０によって、図３（Ａ）に図示するような日の丸の旗が撮影されたものとする。ＤＳＰ１６は、画像中央に赤い領域が存在するため、人物を撮影するものと誤認識を起こす。したがって、撮像素子１２が日の丸の旗を撮影したときに、ＤＳＰ１６（第１の補正部）は、撮像画像に対して最初に人物モードの補正（第１の補正）を施し、補正した撮像画像を表示部２２に表示する。
なお、人物モードとは、たとえば赤色の領域が多いと認識された部分を人間の肌として解釈し、この肌の色を微調整することによって、より人肌らしい質感を出す補正モードである。
【００３２】
しかし、前述したように、実際に撮影している対象物は日の丸の旗であって、人の顔ではない。したがって、第１の補正（人物モード）が施されると、被写体に対して適切でない補正が施される場合がある。
【００３３】
そこで、ＤＳＰ１６は、撮像画像に対して適切な補正が施せるように、人物モード以外のモードを
提示する。
【００３４】
露出制御装置１７は、露出制御を行うとともに、操作部２３からの入力に応じて、システム全体の動作を決定し、ＡＦＥ１３、画像処理装置１５、ＤＳＰ１６、ライト２４等を制御し、システム全体の調停制御を司るものである。
露出制御装置１７は、たとえばスルー画表示中は、切替制御信号ＳＣＴＬ１により切替部１４の固定接点ａと作動接点ｃとを接続させて、復元処理などがされていない撮像素子１２の撮像画像信号をカメラ信号処理部１６に直接入力させる。
一方、露出制御装置１７は、操作部２３によりトリガ信号を受けると、画像をキャプチャして記憶部２１に画像を記録するモードであると判断し、切替制御信号ＳＣＴＬ１により切替部１４の固定接点ａと作動接点ｂとを接続させて、復元処理を施すべく画像処理装置１５に入力させる。
すなわち、露出制御装置１７は、トリガ信号を受けてキャプチャした画像に対しては、画像処理装置１５で復元処理した後、カメラ信号処理部１６で所定の画像処理を施した後の画像を表示部２２に表示させる。
また、露出制御装置１７は、たとえばカメラ信号処理部１６を通して、表示部２２にスルー画を表示中は表示部２２の分解能で必要十分な分解能をもった画像を撮像素子１２から出力させるようにタイミングジェネレータ１３１に指示を出す。
【００３５】
記憶部２１、表示部２２、および操作部２３の詳細については後述する。
【００３６】
本実施形態においては、操作部２３の操作内容によっては、露出制御装置１７は、動画撮影時において、スルー画表示には画像処理装置１５で画像復元処理を実施していない画像信号をカメラ信号処理部１６に入力させ、画像を記憶部２１に記録する際に、画像処理装置１５により画像復元処理を実施するように制御することも可能である。
【００３７】
あるいは、操作部２３の操作内容によっては、露出制御装置１７は、動画撮影時において、画像処理装置１５で画像復元処理を実施していない画像信号をカメラ信号処理部１６に入力させ、画像復元処理を実施していない画像を記憶部２１に記録し、記憶部２１からこの画像を再生する際に、画像処理装置１５により画像復元処理を実施するように制御することも可能である。
【００３８】
以上詳細に説明した撮像装置１０は、図４に示す携帯電話機２０に搭載されている。次に、図４〜図６を参照しながら携帯電話機２０について説明する。
【００３９】
図４は、本実施形態に係る撮像装置が搭載された携帯電話機の構成例を示すブロック図である。図５は、本実施形態に係る携帯電話機の外観例を示す斜視図である。図６は、本実施形態に係る操作部の詳細な図である。
【００４０】
電子機器としての携帯電話機２０は、図４に示すように、撮像装置１０、記憶部２１、表示部２２、操作部２３、ライト２４、アンテナ２５、通信部２６、制御部（ＣＰＵ）２７、音声入出力部２８、スピーカ（ＳＰ）２８ａ、およびマイクロフォン（ＭＩＣ）２８ｂを有する。
【００４１】
携帯電話機２０は、図示しない基地局を介してネットワークに接続され、基地局を介してネットワークに接続されているサーバ装置の制御にしたがって、音声通話、電子メールの作成とその送受信、ＷＥＢサイトやコンテンツデータ（たとえば動画像、静止画像）の閲覧等を行う機能を有する。
【００４２】
携帯電話機２０は、図５（Ａ）に図示するように、第１筐体（上部筐体）２９と第２筐体（下部筐体）２１０とを有する。これら２つの筐体２９，２１０は、ヒンジ部２１１を介して折り畳み自在に連結されることにより、相互に開閉することができる。
第１筐体２９には、表示部２２とスピーカ２８ａが配置されている。第２筐体２１０には、操作部２３とマイクロフォン２８ｂが配置されている。
図５（Ｂ）に示すように、図５（Ａ）に示す携帯電話機２０の筐体の反対面には、撮像装置１０の光学系１１およびライト２４が取り付けられている。光学系１１を被写体ＯＢＪに向けることで、撮像することが可能となる。
【００４３】
記憶部２１は、たとえば不揮発性の記憶デバイス（フラッシュメモリ）やランダムアクセス可能な記憶デバイス（ＳＲＡＭ、ＤＲＡＭ）等で構成され、各種のデータを記憶する。
記憶部２１が記憶するデータには、撮影モード設定、カメラ信号処理部１６からの撮像画像、制御部２７の出力結果、制御部２７が実行するアプリケーションプログラム、プログラムの処理過程で利用される一時的なデータが含まれる。
本実施形態では、外部メモリ等を設け、撮像装置１０が撮像した画像データを記憶部２１と別に記憶させるようにしてもよい。
【００４４】
表示部２２は、図５（Ａ）に図示するように、たとえば液晶表示パネルや有機ＥＬ（Electro-Luminescence）パネル等の表示デバイスが上部筐体２９に設けられ、カメラ信号処理部１６や制御部２７から供給される映像信号に応じた内容の情報を表示する。
表示部２２が表示する情報には、各種撮像モード（露出モード等）を表示するメニュー画面、カメラ信号処理部１６により所定の画像処理を受けたスルー画や撮像画像、発信時（着信時）における通話先の電話番号、電子メール等の文字情報、ＷＥＢサイト、動画像、日付等の時間情報、電池残量、発信成否、待ち受け画面等が含まれる。
【００４５】
操作部２３は、図５（Ａ）に図示するように、下部筐体２１０に取り付けられている。より詳細には、図６に示すように、操作部２３は、たとえばテンキー（０〜９番キー）２１３、シャープ（♯）キー２３２、メニューキー２３３、決定キー２３４の他、通話キー、方向キー、発信キーなど各種機能が割り当てられた複数のキーを有する。
操作部２３は、これらのキーがユーザによって操作された場合、その操作内容に対応する信号を発生し、これをユーザの指示として制御部２７または図１の露出制御装置１７に出力する。
操作部２３のキーの内、テンキー２３１、シャープキー２３２、およびメニューキー２３３には、それぞれのキー内部にＬＥＤ（Light Emitting Diode）などの発光素子ＬＥＤが筐体内部に設けられ、誘導モード時には、誘導部１６３の制御によって、特定のキーが発光するようになっている。発光させるキーは、前述のものに限らず、すべてのキーが発光するようにしてもよい。
【００４６】
アンテナ２５は、所定の周波数帯域における電磁波を図示しない基地局に向けて送信、あるいは基地局から受信する。
【００４７】
通信部２６は、通話等の音声データ、電子メール等の文字情報、動画像データ等のデータ通信を接続されている基地局との間で無線通信を行う。通信部２６は、送信時には、制御部２７が出力した送信信号を所定の変調方式に変調した上でアンテナ２５を介して電波信号として送信し、受信時には、アンテナ２５を介して受信した電波信号を変調方式に対応した復調を行って制御部２７に受信信号として出力する。
【００４８】
制御部２７は、携帯電話機２０の全般的な動作を統括的に制御する。すなわち、制御部２７は、携帯電話機２０の各種処理（被写体ＯＢＪの撮像、ネットワークを介して行われる音声通話、電子メールの作成とその送受信、ＷＥＢサイトの閲覧等の制御）がユーザによる操作部２３の操作に応じて適切な手順で実行されるように、各構成部の動作（撮像装置１０の制御、記憶部２１とのアクセス、表示部２２における画像の表示、通信部２６における電波信号の送受信、音声入出力部２８における音声の入出力、ライト２４の制御など）を制御する。
【００４９】
音声入出力部２８はスピーカ２８ａに出力する音声信号やマイクロフォン２８ｂから入力された音声信号の処理を行う。すなわち、音声入出力部２８は、マイクロフォン２８ｂから入力された音声を増幅し、アナログ・デジタル（Ａ／Ｄ）変換を行い、さらに符号化等の処理を施し、デジタルの音声データに変換して制御部２７に出力する。音声入出力部２８は、制御部２７から供給された音声データに符号化、デジタル・アナログ（Ｄ／Ａ）変換、増幅等の信号処理を施し、アナログの音声信号に変換した上でスピーカ２８ａに出力する。
【００５０】
ライト２４は、露出制御部１９または制御部２７の制御にしたがって、点灯（オン）または消灯（オフ）に切り替える。
【００５１】
以下に、自動補正モード時の撮像装置１０の動作について図７を参照して説明した後、本実施形態の特徴である誘導モードを中心に説明する。図７は、本実施形態に係る自動補正モード時の撮像装置の動作を示すフローチャートである。
【００５２】
（自動補正モード）
撮像装置１０が起動されると（ステップＳＴ１１）、被写体ＯＢＪの像は、光学系１１を通して撮像素子１２によって光電変換される。光電変換されたアナログの信号は、ＡＦＥ１３にて露出制御等が施され後、Ａ／Ｄコンバータ１３２を経てデジタルの画像データが生成される（ステップＳＴ１２）。
【００５３】
そして、スルー画表示（プレビュー）をする場合（ステップＳＴ１３のＹＥＳ）、露出制御装置１７の制御によって固定接点ａ、ｃが短絡され、ＡＦＥ１３が出力した画像データは、直接ＤＳＰ１６に送られる。ＤＳＰ１６に入力された画像データは、ＲＧＢ変換部１６１にてＲＧＢ変換され、その後ＹＵＶ変換部１６２にてＹ信号とＵＶ信号に分離され、表示部２２に表示される（ステップＳＴ１４）。
【００５４】
一方、スルー画表示をしない場合（ステップＳＴ１３のＮＯ）、露出制御装置１７の制御によって固定接点ａ、ｂが短絡され、ＡＦＥ１３が出力した画像データは、画像処理装置１５に入力される。画像処理装置１５は、画像データに対して、露出補正、コントラスト補正、彩度補正、シャープネス補正、ホワイトバランス、γ補正などの補正処理を行い、後段のＤＳＰ１６に渡す（ステップＳＴ１５）。ステップＳＴ１５の処理によって補正処理が施された画像データは、記憶部２１に記録されたり、表示部２２にスルー画表示されたりする。
【００５５】
つづいて、誘導モード時における撮像装置１０の動作について説明を行うが、はじめに、Ｙ信号を参照して最適な撮像モードを選択する場合ついて、図８を中心に図９および図１０を適宜参照しながら説明する。
図８は、本実施形態に係る誘導モード時における撮像装置の動作例を示すフローチャートである。図９および図１０は、図８のフローチャートを説明するための図である。
【００５６】
（誘導モード；Ｙ信号によるモード選択）
撮像装置１０が起動されると（ステップＳＴ２１）、図７のステップＳＴ１２の処理が行われ、デジタルの画像データ生成される（ステップＳＴ２２）。
露出制御装置１７の制御によって固定接点ａ、ｃが短絡され、ＡＦＥ１３が出力した画像データは、カメラ信号処理部１６に入力され、ＲＧＢ変換部１６１にてＲＧＢ変換された後、ＹＵＶ変換部１６２に入力される。
ＹＵＶ変換部１６２は、ＲＧＢ変換部１６１の出力からＹ信号を取り出すと、ＤＳＰ１６に出力する（ステップＳＴ２３）。Ｙ信号は、ＤＳＰ１６に入力され（ステップＳＴ２４）、ＤＳＰ１６は、Ｙ信号の値を第１の閾値Ｙαと比較する（ステップＳＴ２５）。
【００５７】
ステップＳＴ２５の処理結果において、Ｙ信号の値が第１の閾値Ｙαより大きい場合（ステップＳＴ２６のＹＥＳ）、ＤＳＰ１６は、撮像画像が明るすぎるオーバー画像であると判断し、補正処理方法として露出を下げるための露出マイナスモード、およびフレームレートを上げるためのスポーツモードを提示する（ステップＳＴ２７）。
【００５８】
まず、誘導部１６３は、ユーザに補正処理を開始させるため、操作部２３のメニューキー２３３を発光させる（図９（Ａ））。メニューキー２３３が押下されることにより、表示部２２に露出モードまたはシーンモードのいずれかを選択させるメニュー画面が表示されると共に、露出モードに対応させた１番キー、およびシーンモードに対応させた２番キーを発光させる（図９（Ｂ））。
【００５９】
誘導に従い、１番キーが押下された場合、表示部２２に露出モードが表示されるが、撮像画像がオーバー画像であるため、誘導部１６３は、露出マイナスモードが選択されるように、露出マイナスモードに対応した２番キーを発光させる（図９（Ｃ））。
一方、２番キーが押下された場合、表示部２２にシーンモードが表示されるが、誘導部１６３は、スポーツモードが選択されるように、スポーツモードに対応した４番キーを発光させる（図９（Ｄ））。
【００６０】
ユーザが誘導に従って２番キーまたは４番キーを押下すると、露出制御装置１７は、露出を下げるように（フレームレートを上げるように）ＤＳＰ１６を制御する。ＤＳＰ１６にて露出調整された画像データは、再びＤＳＰ１６に入力され、図７のステップＳＴ１４の処理が行われた後、ステップＳＴ２２の処理が再開される。
【００６１】
ステップＳＴ２５の処理結果において、Ｙ信号の値が第１の閾値Ｙαより小さい場合（ステップＳＴ２６のＮＯ）、ＤＳＰ１６は、Ｙ信号の値を第２の閾値Ｙβと比較する（ステップＳＴ２８）。
ステップＳＴ２８の処理結果において、Ｙ信号の値が第２の閾値Ｙβより小さい場合（ステップＳＴ２９のＹＥＳ）、ＤＳＰ１６は、撮像画像が暗すぎるアンダー画像であると判断し、補正処理方法として露出を上げるための露出プラスモード、フレームレートを下げる夜景モード、および被写体ＯＢＪを照らすためのモバイルライトモードに対応した補正が施された撮像画像を表示部２２に表示する。
【００６２】
誘導部１６３は、ユーザに第２の補正による補正処理を開始させるため、メニューキー２３３を発光させる。このとき、誘導部１６３は、モバイルライトモードに対応したシャープキー２３２も発光させ（図１０（Ａ））、シャープキー２３２が押下された場合には、露出制御装置１７の制御の下、ライト２４が点灯する。
メニューキー２３３が押下された場合には、表示部２２に露出モードまたはシーンモードのいずれかを選択させるメニュー画面が表示されると共に、露出モードに対応させた１番キー、およびシーンモードに対応させた２番キーを発光させる（図１０（Ｂ））。
【００６３】
誘導に従い、１番キーが押下された場合、表示部２２に露出モードが表示されるが、撮像画像がアンダー画像であるため、誘導部１６３は、露出プラスモードが選択されるように、露出プラスモードに対応した１番キーを他のキーよりも強調して発光させる（図１０（Ｃ））。
一方、２番キーが押下された場合、表示部２２にシーンモードが表示されるが、誘導部１６３は、夜景モードが選択されるように、夜景モードに対応した３番キーを発光させる（図１０（Ｄ））。
【００６４】
ユーザが誘導に従って１番キーまたは３番キーを押下すると、、露出制御装置１７は、露出を上げるように（フレームレートを下げるように）ＤＳＰ１６を制御する。ＤＳＰ１６にて、露出調整された画像データは、再びＤＳＰ１６に入力され、図７のステップＳＴ１４の処理が行われた後、ステップＳＴ２２の処理が再開される。
【００６５】
（誘導モード；ＲＧＢ信号によるモード選択）
次に、ＲＧＢ信号を参照して最適なモードを選択する場合ついて、図１１を中心に図１２〜図１４を適宜参照しながら説明する。
図１１は、本実施形態に係る誘導モード時における撮像装置の動作例を示すフローチャートである。図１２〜図１４は、図１１のフローチャートを説明するための図である。
【００６６】
撮像装置１０が起動されると（ステップＳＴ３１）、図７のステップＳＴ１２の処理が行われ、デジタルの画像データが生成される（ステップＳＴ３２）。
露出制御装置１７の制御によって固定接点ａ、ｃが短絡され、ＡＦＥ１３が出力した画像データは、カメラ信号処理部１６に入力され、ＲＧＢ変換部１６１にてＲＧＢ変換され、ＤＳＰ１６にＲＧＢ信号が入力される（ステップＳＴ３３）。
ＤＳＰ１６は、ＲＧＢ信号の各値を参照し、被写体ＯＢＪが人物であるか否かの判断が行われる（ステップＳＴ３４）。ＤＳＰ１６は、表示部２２が表示するスルー画の中央にＲ信号の値が占める割合が大きい場合、被写体ＯＢＪが人物であると判断し（ステップＳＴ３４のＹＥＳ）、続いて被写体ＯＢＪが風景であるか否かを判断する（ステップＳＴ３５）。
【００６７】
ＤＳＰ１６は、撮影の向きに対して被写体ＯＢＪ（スルー画）の上部にＢ信号の値が、下部にＧ信号の値がそれぞれ占める割合が大きい場合（ステップＳＴ３５のＹＥＳ）、被写体ＯＢＪが風景を背にした人物であるものと判断し、人物モードおよび風景モードに対応した補正を施した画像データを表示部２２に表示させる。
【００６８】
誘導部１６３は、ユーザに補正処理を開始させるため、操作部２３のメニューキー２３３を発光素子ＬＥＤによって発光させる（図１２（Ａ））。メニューキー２３３が押下されることにより、表示部２２に露出モードまたはシーンモードのいずれかを選択させるメニュー画面が表示されるが、被写体ＯＢＪが風景を背にした人物であるため、誘導部１６３は、シーンモード以外の補正が選択されるように、露出モードに対応した２番キーを発光させる（図１２（Ｂ））。誘導に従って２番キーが押下されると、誘導部１６３は、人物モードまたは風景モードが選択されるように、人物モードに対応した１番キーおよび風景モードに対応した２番キーを特に強調して発光させる（図１２（Ｃ））。
【００６９】
ユーザが誘導に従って１番キーまたは２番キーを押下すると、露出制御装置１７は、撮像画像が最適になるようにＤＳＰ１６を制御する。ＤＳＰ１６にて、補正処理された画像データは、再びＤＳＰ１６に入力され、図７のステップＳＴ１４の処理が行われた後、ステップＳＴ３２の処理が再開される。
【００７０】
ステップＳＴ３５の処理において、被写体ＯＢＪが風景でないものと判断された場合（ステップＳＴ３５のＮＯ）、ＤＳＰ１６は、被写体ＯＢＪが人物であるものと判断し、人物モードに対応した補正を画像データに施して表示部２２に表示させる。
【００７１】
誘導部１６３は、ユーザに補正処理を開始させるため、操作部２３のメニューキー２３３を発光させる（図１３（Ａ））。メニューキー２３３が押下されると、ステップＳＴ３６における図１２（Ｂ）の説明と同様の処理を行って、シーンモードに対応した２番キーを発光させる（図１３（Ｂ））。誘導に従って２番キーが押下されると、誘導部１６３は、人物モードが選択されるように、人物モードに対応した１番キーを発光させる（図１３（Ｃ））。
【００７２】
ユーザが誘導に従って１番キーを押下すると、露出制御装置１７は、撮像画像が最適になるようにＤＳＰ１６を制御する。ＤＳＰ１６にて、補正処理された画像データは、再びカメラ信号処理部１６に入力され、図７のステップＳＴ１４の処理が行われた後、ステップＳＴ３２の処理が再開される。
【００７３】
ステップＳＴ３４の処理において、被写体ＯＢＪが人物でないものと判断された場合（ステップＳＴ３４のＮＯ）、ＤＳＰ１６は、被写体ＯＢＪが風景であるか否かを判断し（ステップＳＴ３８）、被写体ＯＢＪが風景であるものと判断した場合（ＹＥＳ）、風景モードに対応した補正を撮像画像に施して表示部２２に表示させる（ステップＳＴ３９）。
誘導部１６３は、ユーザに補正処理を開始させるため、操作部２３のメニューキー２３３を発光させる（図１４（Ａ））。メニューキー２３３が押下されると、ステップＳＴ３６における図１２（Ｂ）の説明と同様の処理を行って、シーンモードに対応した２番キーを発光させる（図１４（Ｂ））。誘導に従って２番キーが押下されると、誘導部１６３は、風景モードが選択されるように、風景モードに対応した２番キーを発光させる（図１４（Ｃ））。
【００７４】
ユーザが誘導に従って１番キーを押下すると、露出制御装置１７は、撮像画像が最適になるようにＤＳＰ１６を制御する。ＤＳＰ１６にて、補正処理された画像データは、再びカメラ信号処理部１６に入力され、図７のステップＳＴ１４の処理が行われた後、ステップＳＴ３２の処理が再開される。
被写体ＯＢＪが風景でない場合（ステップＳＴ３８のＮＯ）、ステップＳＴ３２の処理に戻る。
【００７５】
本実施形態によれば、撮像装置１０および携帯電話機２０は、撮像素子１２と、撮像素子１２によって得られた画像データを第１の画像データに補正する第１の補正部と、第１の画像データを表示する表示部２２と、第１の画像データを第２の画像データに補正可能な第２の補正部と、第２の補正部による第１の画像データから第２の画像データへの補正を決定する操作部２３と、操作部２３の操作を誘導させる誘導部１６３とを有することから、ユーザが被写体の状況に応じて撮像画像に施す最適な補正処理方法を選択できるだけでなく、操作キーが複数あっても素早くかつ容易に目的とする動作を実行できる。また、撮像装置１０は、携帯電話機２０をはじめ、あらゆる電子機器に容易に搭載可能である利点がある。
【００７６】
発光素子によってユーザに補正の候補を教示するために、ユーザに対して第１の補正でどのような補正がおこなわれているかを直感的に示すことが可能となる。したがって、操作性が向上する。
第１の補正において、ＤＳＰ１６が誤認識によって画像データの輝度を上げた場合、誤認識のパターンとして、第１の補正部が「実際には暗い場所における撮影であるのに、明るい場所における撮影であるもの」と補正するパターンがある。このとき、ユーザは、第２の補正を行わなければならない場合がある。本発明では、発光素子が発光することによって、ユーザは暗い場所であっても簡単に撮像画像の補正を行うことができる。
【００７７】
本実施形態では、誘導部１６３の処理は、撮像装置１０のカメラ信号処理部１６にて実行されるが、それぞれの処理を携帯電話機２０の制御部２７にて処理するようにしてもよい。
【００７８】
本実施形態では、撮像装置１０は、携帯電話機２０に搭載されているが、ＰＨＳ（Personal Handy phone System）やモバイル機器などあらゆる電子機器に搭載可能である。また、電子機器が通信可能である必要はなく、撮像装置１０をデジタルカメラなどに搭載してもよい。
【００７９】
以上詳細に説明した方法は、上記手順に応じたプログラムとして形成し、ＣＰＵ等のコンピュータで実行するように構成することが可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【００８０】
本実施形態は、本発明が適用可能な範囲内で好適に変更可能である。本実施形態において、第１の補正部、第２の補正部および教示部は、ＤＳＰ１６が有する機能であるが、これらの一部またはすべてが画像処理装置１５に備えられていてもよい。本実施形態における機能部は、その一部またはすべてがソフトウェアで処理できるようにしてもよい。
【図面の簡単な説明】
【００８１】
【図１】実施形態に係る撮像装置の構成例を示すブロック図である。
【図２】実施形態に係るＤＳＰの処理を説明するための図である。
【図３】実施形態に係る誘導部の処理を説明するための図である。
【図４】実施形態に係る撮像装置が搭載された携帯電話機の構成例を示すブロック図である。
【図５】実施形態に係る携帯電話機の外観例を示す斜視図である。
【図６】実施形態に係る操作部の詳細な図である。
【図７】実施形態に係る自動補正モード時の撮像装置の動作を示すフローチャートである。
【図８】実施形態に係る誘導モード時における撮像装置の動作例を示すフローチャートである
【図９】図８のフローチャートを説明するための図である。
【図１０】図８のフローチャートを説明するための図である。
【図１１】実施形態に係る誘導モード時における撮像装置の動作例を示すフローチャートである。
【図１２】図１１のフローチャートを説明するための図である。
【図１３】図１１のフローチャートを説明するための図である。
【図１４】図１１のフローチャートを説明するための図である。
【符号の説明】
【００８２】
１０…撮像装置、１１…光学系、１２…撮像素子、１３…アナログフロントエンド部（ＡＦＥ）、１４…切替部、１５…画像処理装置、１６…カメラ信号処理部、１６１…ＲＧＢ変換部、１６２…ＹＵＶ変換部、１６３…誘導部、１７…露出制御装置、２０…携帯電話機、２１…記憶部、２２…表示部、２３…操作部、２４…ライト、２５…アンテナ、２６…通信部、２７…制御部（ＣＰＵ）、２８…音声入出力部、２８ａ…スピーカ（ＳＰ）、２８ｂ…マイクロフォン（ＭＩＣ）、２９…第１筐体（上部筐体）、２１０…第２筐体（下部筐体）、２１１…ヒンジ部
【図１】
2009246565.tif 000003
【図２】
2009246565.tif 000004
【図３】
2009246565.tif 000005
【図４】
2009246565.tif 000006
【図５】
2009246565.tif 000007
【図６】
2009246565.tif 000008
【図７】
2009246565.tif 000009
【図８】
2009246565.tif 000010
【図９】
2009246565.tif 000011
【図１０】
2009246565.tif 000012
【図１１】
2009246565.tif 000013
【図１２】
2009246565.tif 000014
【図１３】
2009246565.tif 000015
【図１４】
2009246565.tif 000016